(57)【要約】  【課題】  フォーカス調整用の駆動ユニットのタイプが異なる機種であっても部品の共用化が可能なカメラ装置を提供する。  【解決手段】  カメラ装置１は、撮像素子６を支持する支持フレーム８と、支持フレーム８が光軸方向に沿ってスライド可能に挿着されるフォーカス位置調整フレーム９と、フォーカス位置調整フレーム９の外側に嵌着されるフォーカス位置調整リング１０と、フォーカス位置調整リング１０を回転させるための駆動ユニット１１と、これらの構成が組み付けられるマウント部材５とを備える。駆動ユニット１１としては、機械式駆動ユニット３０と手動式駆動ユニット４０が取付け可能である。機械式駆動ユニット３０と手動式駆動ユニット４０は、マウント部材５に対する取付け位置がそれぞれ異なるが、光軸調整によって移動したフォーカス位置調整リング１０の位置にあわせて、マウント部材５に対する取付け位置を調整することができる。【選択図】  図１
2011015031.tif 000002
【特許請求の範囲】
【請求項１】
撮像素子を支持する支持フレームが光軸方向に沿ってスライド可能に挿着され、外周面にねじ形状のカム部が設けられたフォーカス位置調整フレームと、
前記フォーカス位置調整フレームの外側に嵌着されるリング状の本体部を有し、前記本体部の内周面に前記カム部に対応する形状のねじ部が設けられ、前記本体部の外周面にギア部が設けられたフォーカス位置調整リングと、
前記ギア部に噛み合う駆動ギアを有し、前記フォーカス位置調整リングを回転させる回転駆動力を伝達するための駆動ユニットと、
前記フォーカス位置調整リングが嵌着された前記フォーカス位置調整フレームと、前記駆動ユニットが組み付けられるマウント部材と、
を備え、
前記支持フレームは、前記フォーカス位置調整リングを前記フォーカス位置調整フレームに対して回転させることにより、前記フォーカス位置調整リングとともに前記光軸方向に移動してフォーカス位置を調整することが可能であり、かつ、前記フォーカス位置調整フレームを前記マウント部材に対して移動させることにより、前記フォーカス位置調整フレームと前記フォーカス位置調整リングとともに前記光軸方向に交わる平面に沿った方向に移動して光軸調整を行うことが可能であり、
前記駆動ユニットとしては、機械式駆動ユニットと手動式駆動ユニットが取付け可能であり、前記機械式駆動ユニットと前記手動式駆動ユニットは、前記マウント部材に対する取付け位置がそれぞれ異なっており、前記駆動ユニットは、前記光軸調整によって移動した前記フォーカス位置調整リングの位置にあわせて、前記マウント部材に対する取付け位置を調整することが可能であることを特徴とするカメラ装置。
【請求項２】
前記機械式駆動ユニットは、前記フォーカス位置調整リングに向けた方向に沿って回転移動させることによって、前記マウント部材に対する取付け位置を調整することが可能であり、
前記手動式駆動ユニットは、前記フォーカス位置調整リングに向けた方向に沿って平行移動させることによって、前記マウント部材に対する取付け位置を調整することが可能であることを特徴とする請求項１に記載のカメラ装置。
【請求項３】
前記機械式駆動ユニットは、前記回転移動の中心軸の位置に設けられた軸部と、前記回転移動の軌跡に沿った円弧形状の円弧状長穴を備え、
前記円弧状長穴には、前記取付け位置の調整用の第１調整ねじが取り付けられ、前記第１調整ねじを緩めた状態では、前記機械式駆動ユニットが前記マウント部材に対して回転移動可能であり、前記第１調製ねじを締めた状態では、前記機械式駆動ユニットが前記マウント部材に対して固定され、
前記手動式駆動ユニットは、前記平行移動の軌跡に沿った直線形状の一対の直線状長穴を備え、
前記一対の直線状長穴には、前記取付け位置の調整用の第２調整ねじおよび第３調整ねじが取り付けられ、前記第２調整ねじと前記第３調整ねじを緩めた状態では、前記手動式駆動ユニットが前記マウント部材に対して平行移動可能であり、前記第２調整ねじと前記第３調整ねじを締めた状態では、前記手動式駆動ユニットが前記マウント部材に対して固定され、
前記第１調整ねじと前記第２調整ねじは、共通のねじ穴に螺着されることを特徴とする請求項２に記載のカメラ装置。
【請求項４】
前記手動式駆動ユニットは、前記マウント部材に対する取付け位置の調整を行って、前記ギア部と前記駆動ギアとの軸間距離が目標軸間距離になったときに、前記マウント部材と当接する突部を備えたことを特徴とする請求項２または請求項３に記載のカメラ装置。
【請求項５】
前記手動式駆動ユニットは、前記平行移動の軌跡に沿った直線形状の一対のガイドレールを備え、
前記マウント部材は、前記ガイドレールが摺動可能に嵌めこまれる一対のガイド溝を備えたことを特徴とする請求項２ないし請求項４のいずれかに記載のカメラ装置。
【発明の詳細な説明】
【技術分野】
【０００１】
本発明は、フォーカス調整用の駆動ユニットのタイプが異なる機種であっても部品の共用化が可能なカメラ装置に関するものである。
【背景技術】
【０００２】
従来、バックフォーカス機能を備えたカメラ装置として、自動でフォーカス調整を行うタイプ（機械式タイプ）のカメラ装置と、手動でフォーカス調整を行うタイプ（手動式タイプ）のカメラ装置が知られている（例えば、特許文献１および２参照）。
【先行技術文献】
【特許文献】
【０００３】
【特許文献１】特開２００７−６１５９号公報
【特許文献２】特開２００２−１７６５７９号公報
【発明の概要】
【発明が解決しようとする課題】
【０００４】
しかしながら、上述のようにフォーカス調整のタイプが異なるカメラ装置（異なる機種のカメラ装置）は、それぞれ要求される機能や性能が異なるため、それぞれが個別に設計・開発されることが多く、機種ごとに開発のタイミングがずれることも少なくなかった。そうすると、一つの機種のカメラ装置を設計・開発するときに、他の機種との部品の共用化を図ることが難しく、開発効率が低くなってしまい、その結果、一つの機種のカメラ装置を生産できるようになるまでに、長い期間がかかってしまうという問題があった。
【０００５】
特に、少量生産の機種の場合には、機種ごとに個別設計をしていたのでは、部品単価が上がってしまい、装置のコストアップにつながってしまうという問題があった。
【０００６】
本発明は、上記従来の問題を解決するためになされたもので、フォーカス調整用の駆動ユニットのタイプが異なる機種であっても部品の共用化が可能になり、カメラ装置の部品単価を抑えることができ、低コスト化を実現することのできるカメラ装置を提供することを目的とする。
【課題を解決するための手段】
【０００７】
本発明のカメラ装置は、撮像素子を支持する支持フレームが光軸方向に沿ってスライド可能に挿着され、外周面にねじ形状のカム部が設けられたフォーカス位置調整フレームと、前記フォーカス位置調整フレームの外側に嵌着されるリング状の本体部を有し、前記本体部の内周面に前記カム部に対応する形状のねじ部が設けられ、前記本体部の外周面にギア部が設けられたフォーカス位置調整リングと、前記ギア部に噛み合う駆動ギアを有し、前記フォーカス位置調整リングを回転させる回転駆動力を伝達するための駆動ユニットと、前記フォーカス位置調整リングが嵌着された前記フォーカス位置調整フレームと、前記駆動ユニットが組み付けられるマウント部材と、を備え、前記支持フレームは、前記フォーカス位置調整リングを前記フォーカス位置調整フレームに対して回転させることにより、前記フォーカス位置調整リングとともに前記光軸方向に移動してフォーカス位置を調整することが可能であり、かつ、前記フォーカス位置調整フレームを前記マウント部材に対して移動させることにより、前記フォーカス位置調整フレームと前記フォーカス位置調整リングとともに前記光軸方向に交わる平面に沿った方向に移動して光軸調整を行うことが可能であり、前記駆動ユニットとしては、機械式駆動ユニットと手動式駆動ユニットが取付け可能であり、前記機械式駆動ユニットと前記手動式駆動ユニットは、前記マウント部材に対する取付け位置がそれぞれ異なっており、前記駆動ユニットは、前記光軸調整によって移動した前記フォーカス位置調整リングの位置にあわせて、前記マウント部材に対する取付け位置を調整することが可能である構成を有している。
【０００８】
この構成により、フォーカス位置調整リングをフォーカス位置調整フレームに対して回転させると、フォーカス位置調整リングとともに支持フレームが光軸方向に沿った方向に移動して、フォーカス位置の調整を行うことができる。また、フォーカス位置調整フレームをマウント部材に対して移動させると、フォーカス位置調整フレームとフォーカス位置調整リングとともに支持フレームが光軸方向に交わる平面に沿った方向に移動して光軸調整を行うことができる。
【０００９】
この場合、駆動ユニットとして、手動式駆動ユニットと機械式駆動ユニットのどちらでもマウント部材に取り付けることが可能である。したがって、カメラ装置の機種ごとに駆動ユニットのタイプ（手動式／機械式）が異なる場合であっても、共通のフレーム構造で対応することが可能になる。これにより、フォーカス調整用の駆動ユニットのタイプが異なる機種であっても部品の共用化が可能になり、カメラ装置の部品単価を抑えることができ、低コスト化を実現することが可能になる。
【００１０】
また、この場合、手動式駆動ユニットと機械式駆動ユニットは、マウント部材に対する取付け位置がそれぞれ異なるが、いずれのタイプの駆動ユニットでも、光軸調整によって移動したフォーカス位置調整リングの位置にあわせて、マウント部材に対する取付け位置（ギア部と駆動ギアとの軸間距離）を調整することが可能である。したがって、光軸調整を行った結果、フォーカス位置調整リングの位置が光軸方向に交わる平面に沿って僅かに動いたときでも、そのフォーカス位置調整リングの動きに追従するように、駆動ユニットの取付け位置を適切な位置（適切な軸間距離）に調整することができる。これにより、駆動ユニットの回転駆動力をフォーカス位置調整リングに適切に伝えることができ、フォーカス位置調整リングをスムーズに回転させることが可能になる。
【００１１】
また、本発明のカメラ装置では、前記機械式駆動ユニットは、前記フォーカス位置調整リングに向けた方向に沿って回転移動させることによって、前記マウント部材に対する取付け位置を調整することが可能であり、前記手動式駆動ユニットは、前記フォーカス位置調整リングに向けた方向に沿って平行移動させることによって、前記マウント部材に対する取付け位置を調整することが可能である構成を有している。
【００１２】
この構成により、駆動ユニットとして機械式駆動ユニットが取り付けられた場合に、光軸調整を行った結果、フォーカス位置調整リングの位置が僅かに動いたときには、機械式駆動ユニットを回転移動させて、光軸調整でのフォーカス位置調整リングの動きに合わせて機械式駆動ユニットの取付け位置（ギア部と駆動ギアとの軸間距離）を調整することができる。
【００１３】
また、駆動ユニットとして手動式駆動ユニットが取り付けられた場合に、光軸調整を行った結果、フォーカス位置調整リングの位置が僅かに動いたときには、手動式駆動ユニットを平行移動させて、光軸調整でのフォーカス位置調整リングの動きに合わせて手動式駆動ユニットの取付け位置（ギア部と駆動ギアとの軸間距離）を調整することができる。特に、手動式駆動ユニットの場合には、駆動ギアを手動で回すために、駆動ギア（または駆動ギアを回すためのギア）の一部が本体ケースの外部に露出するような構造が採用される。この場合、手動式駆動ユニットが（回転移動ではなく）平行移動するように構成されているので、手動式駆動ユニットの取付け位置を調整するときに、本体ケースの外部に露出している部分も全体的に平行移動する。したがって、本体ケースの外部に露出している部分が斜めになって外観が損なわれるのを防ぐことができる。
【００１４】
また、本発明のカメラ装置では、前記機械式駆動ユニットは、前記回転移動の中心軸の位置に設けられた軸部と、前記回転移動の軌跡に沿った円弧形状の円弧状長穴を備え、前記円弧状長穴には、前記取付け位置の調整用の第１調整ねじが取り付けられ、前記第１調整ねじを緩めた状態では、前記機械式駆動ユニットが前記マウント部材に対して回転移動可能であり、前記第１調製ねじを締めた状態では、前記機械式駆動ユニットが前記マウント部材に対して固定され、前記手動式駆動ユニットは、前記平行移動の軌跡に沿った直線形状の一対の直線状長穴を備え、前記一対の直線状長穴には、前記取付け位置の調整用の第２調整ねじおよび第３調整ねじが取り付けられ、前記第２調整ねじと前記第３調整ねじを緩めた状態では、前記手動式駆動ユニットが前記マウント部材に対して平行移動可能であり、前記第２調整ねじと前記第３調整ねじを締めた状態では、前記手動式駆動ユニットが前記マウント部材に対して固定され、前記第１調整ねじと前記第２調整ねじは、共通のねじ穴に螺着される構成を有している。
【００１５】
この構成により、第１調整ねじを緩めて機械式駆動ユニットを回転移動させることにより、機械式駆動ユニットの取付け位置を調整することができ、また、第２調整ねじと第３調整ねじを緩めて手動式駆動ユニットを平行移動させることにより、手動式駆動ユニットの取付け位置を調整することができる。
【００１６】
そして、この場合、機械式駆動ユニットの取付け位置を調整するための第１調整ねじと、手動式駆動ユニットの取付け位置を調整するための第２調整ねじで、共通のねじ穴を使用することができる。したがって、カメラ装置内部の限られたスペースを有効に利用することができ、カメラ装置の小型化が可能になる。
【００１７】
また、本発明のカメラ装置では、前記手動式駆動ユニットは、前記マウント部材に対する取付け位置の調整を行って、前記ギア部と前記駆動ギアとの軸間距離が目標軸間距離になったときに、前記マウント部材と当接する突部を備えた構成を有している。
【００１８】
この構成により、手動式駆動ユニットの取付け位置を調整するときには、突部がマウント部材に当接するまで、手動式駆動ユニットをフォーカス位置調整リングに向けた方向に沿って平行移動させればよい。このようにして、手動式駆動ユニットの取付け位置（ギア部と駆動ギアとの軸間距離）を適切にかつ簡単に調整することができる。これにより、駆動ギアが噛み込みすぎるのを防ぐことができ、手動でもスムーズに駆動ギアを回すことができるようになる。（軸間距離の調整が適切に行われていないと、操作の仕方（駆動ギアをギア部に押し当てる方向）によっては、駆動ギアが噛み込みすぎてしまい、駆動ギアを回したときの操作感が重くなる。）
【００１９】
また、本発明のカメラ装置では、前記手動式駆動ユニットは、前記平行移動の軌跡に沿った直線形状の一対のガイドレールを備え、前記マウント部材は、前記ガイドレールが摺動可能に嵌めこまれる一対のガイド溝を備えた構成を有している。
【００２０】
この構成により、手動式駆動ユニットの平行移動がガイドレールによってガイドされ、適切な方向から駆動ギアをギア部に押し当てることができるようになる。これにより、手動でも駆動ギアをスムーズに回すことができるようになる。
【発明の効果】
【００２１】
本発明は、フォーカス調整用の駆動ユニットのタイプが異なる機種であっても部品の共用化が可能になり、カメラ装置の部品単価を抑えることができ、低コスト化を実現することが可能になるという効果を有するカメラ装置を提供することができるものである。
【図面の簡単な説明】
【００２２】
【図１】本実施の形態のカメラ装置の主要な構成を示す分解斜視図
【図２】本発明の実施の形態のカメラ装置の外観を示す斜視図
【図３】カメラ装置の主要な構成（機械式駆動ユニットを組み付けた後の状態）を示す斜視図
【図４】カメラ装置の主要な構成（機械式駆動ユニットを組み付ける前の状態）を示す斜視図
【図５】カメラ装置の主要な構成（手動式駆動ユニットを組み付けた後の状態）を示す斜視図
【図６】カメラ装置の主要な構成（手動式駆動ユニットを組み付ける前の状態）を示す斜視図
【図７】本発明の実施の形態のカメラ装置におけるフォーカス位置調整の様子を示す説明図
【図８】本発明の実施の形態のカメラ装置における光軸調整の様子を示す説明図
【発明を実施するための形態】
【００２３】
以下、本発明の実施の形態のカメラ装置について、図面を用いて説明する。本実施の形態では、監視カメラや家庭用ビデオカメラ等に用いられるカメラ装置の場合を例示する。
【００２４】
まず、本発明の実施の形態のカメラ装置の構成を、図面を参照して説明する。図１は、本実施の形態のカメラ装置の主要な構成を示す分解斜視図である。図２は、カメラ装置の外観を示す斜視図である。
【００２５】
図２に示すように、カメラ装置１の本体ケース２は、上ケース３と下ケース４から構成されており、本体ケース２の内部には、マウント部材５が取り付けられている（図１参照）。図１に示すように、マウント部材５には、ＣＣＤなどの撮像素子６を備える撮像素子ユニット７や、撮像素子ユニット７を支持する支持フレーム８が組み付けられている。また、このマウント部材５には、フォーカス位置を調整するためのフォーカス位置調整フレーム９、フォーカス位置調整リング１０、フォーカス位置調整用の駆動ユニット１１が組み付けらている。さらに、このマウント部材５には、光学フィルタユニット１２が組み付けられている。
【００２６】
図１に示すように、撮像素子ユニット７は、支持フレーム８を介してマウント部材５に取り付けられている。この場合、撮像素子ユニット７には、３つの固定用ねじ部１３が設けられ、支持フレーム８には、固定用ねじ部１３に対応する位置に３つのねじ穴１４が設けられている。これらの固定用ねじ部１３とねじ穴１４を用いて、撮像素子ユニット７が支持フレーム８に取り付けられている。
【００２７】
支持フレーム８には、４つのバネ取付片１５が外側に向けて突出して設けられている。このバネ取付片１５には、コイルバネ１６の一端側（図１における上側）が取り付けられる。また、マウント部材５の内側面（図１における上面）には、バネ取付片１５に対応する位置に４つのバネ取付部１７が設けられている。このバネ取付部１７には、コイルバネ１６の他端側（図１における下側）が取り付けられる。このように、コイルバネ１６が支持フレーム８とマウント部材５との間に挟み込まれており、このコイルバネ１６の弾性力によって、支持フレーム８がフォーカス位置調整リング１０側（図１における上側）に押し付けられている。
【００２８】
フォーカス位置調整フレーム９は、支持フレーム８が内側に挿着される円筒部１８を有している。この円筒部１８には、支持フレーム８のバネ取付片１５に対応する位置に切欠き部１９が設けられており、この切欠き部１９の中にバネ取付片１５が光軸方向にスライド可能に挿通されている。そして、このフォーカス位置調整フレーム９は、円筒部１８の内側を支持フレーム８が光軸方向（図１における上下方向）にスライドできるように構成されているともいえる。
【００２９】
また、このフォーカス位置調整フレーム９の円筒部１８の外周面には、ねじ形状のカム部２０が設けられている。一方、フォーカス位置調整リング１０は、フォーカス位置調整フレーム９の円筒部１８の外側に嵌着されるリング状の本体部２１を有しており、本体部２１の内周面には、カム部２０に対応する形状のねじ部２２が設けられている。
【００３０】
そして、フォーカス位置調整リング１０をフォーカス位置調整フレーム９に対して回転させると、ねじ形状のカム部２０によって回転運動が直線運動に変換され、フォーカス位置調整リング１０が光軸方向（図１における上下方向）に移動する。この場合、フォーカス位置調整リング１０の下端部は、支持フレーム８のバネ取付片１５に当接している。したがって、フォーカス位置調整リング１０が光軸方向に移動すると、そのフォーカス位置調整リング１０に押されて支持フレーム８が（コイルバネ１６の弾性力によってフォーカス位置調整リング１０側に押し付けられた状態で）光軸方向に沿って移動する。
【００３１】
また、フォーカス位置調整リング１０の本体部２１の外周面には、フォーカス位置調整用の駆動ユニット１１の駆動ギア２３と噛み合うギア部２４が全周にわたって設けられている。この場合、駆動ユニット１１の回転駆動力が、ギア部２４を介してフォーカス位置調整リング１０に伝達され、フォーカス位置調整リング１０が回転する。これにより、撮像素子ユニット７をマウント部材５に組み付けた状態で、撮像素子６の位置を光軸方向に沿って移動させて、フォーカス位置の調整をすることが可能になっている。
【００３２】
なお、このカメラ装置１では、フォーカス位置調整フレーム９をマウント部材５に固定するネジ２５とネジ穴２６には僅かなガタが生じる程度の隙間が形成されている。本実施の形態では、この隙間を利用して、フォーカス位置調整フレーム９をマウント部材５に対して移動させることにより、支持フレーム８をフォーカス位置調整フレーム９やフォーカス位置調整リング１０とともに光軸方向に交わる平面に沿った方向に移動させることができる、つまり、撮像素子６の光軸調整を行うことができるようになっている。
【００３３】
そして、図１に示すように、本実施の形態では、駆動ユニット１１として、機械式駆動ユニット３０と手動式駆動ユニット４０のどちらでも取付け可能になっている（図１参照）。なお、機械式駆動ユニット３０と手動式駆動ユニット４０は、マウント部材５に対する取付け位置がそれぞれ異なっている。以下、これらの駆動ユニット１１（機械式駆動ユニット３０と手動式駆動ユニット４０）のそれぞれの構成について、図面を参照しながら説明する。
【００３４】
まず、機械式駆動ユニット３０の構成について説明する。図３は、機械式駆動ユニット３０をマウント部材５に組み付けた後の状態を示す斜視図であり、図４は、機械式駆動ユニット３０をマウント部材５に組み付ける前の状態を示す分解斜視図である。図３および図４に示すように、機械式駆動ユニット３０は、マウント部材５に組み付けられる細長形状の本体３１と、本体３１に設けられている駆動ギア３２を回転させるためのモータ３３を備えている。本体３１の一方の端部の下面からは軸部３４が突出しており、また、本体３１の他方の端部には円弧状長穴３５が設けられている。一方、マウント部材５には、軸部３４に対応する位置に軸穴３６が設けられており、円弧状長穴３５に対応する位置にねじ穴３７が設けられている。
【００３５】
機械式駆動ユニット３０をマウント部材５に取り付けるときには、軸部３４を軸穴３６に差し込むとともに、取付け位置の調整用の第１調整ねじ３８を円弧状長穴３５に差し込み、その第１調整ねじ３８をねじ穴３７に螺着する。この場合、機械式駆動ユニット３０は、押圧ばね３９の押圧力によって、フォーカス位置調整リング１０に向けて押し付けられている。そして、第１調整ねじ３８を緩めた状態では、機械式駆動ユニット３０が、軸部３４を中心軸として回転移動可能である。一方、第１調整ねじ３８を締めた状態では、機械式駆動ユニット３０がマウント部材５に対して固定される。
【００３６】
なお、この場合、軸部３４は、回転移動の中心軸の位置に設けられており、円弧状長穴３５の形状は、回転移動の軌跡に沿った円弧形状になっている。したがって、機械式駆動ユニット３０を回転移動させても、円弧状長穴３５とねじ穴３７の位置が互いにずれることがない。このように、機械式駆動ユニット３０は、マウント部材５に対して回転移動可能に取り付けられている。すなわち、機械式駆動ユニット３０は、フォーカス位置調整リング１０に向けた方向に沿って回転移動させることによって、マウント部材５に対する取付け位置を調整することが可能になっている。
【００３７】
次に、手動式駆動ユニット４０の構成について説明する。図５は、手動式駆動ユニット４０をマウント部材５に組み付けた後の状態を示す斜視図であり、図６は、手動式駆動ユニット４０をマウント部材５に組み付ける前の状態を示す分解斜視図である。図５および図６に示すように、手動式駆動ユニット４０は、マウント部材５に組み付けられる細長形状の本体４１と、本体４１に設けられている駆動ギア４２を備えている。この駆動ギア４２は、ユーザが手動で（指で）回転させるようになっている。本体４１の両端部には、一対の直線状長穴４３が設けられており、マウント部材５には、直線状長穴４３に対応する位置に一対のねじ穴３７、４４が設けられている。
【００３８】
また、手動式駆動ユニット４０の本体４１には、マウント部材５側に向けて突出している突部４５が設けられている。この突部４５は、手動式駆動ユニット４０の取付け位置の調整を行った場合に、ギア部２４と駆動ギア４２との軸間距離が目標の軸間距離（適切な軸間距離）になったときに、マウント部材５の当接部４６に当接するように構成されている。さらに、この手動式駆動ユニット４０の本体４１の両端部の下面には、直線形状の一対のガイドレール４７が設けられており、マウント部材５には、このガイドレール４７が嵌め込まれる一対のガイド溝４８が設けられている。
【００３９】
手動式駆動ユニット４０をマウント部材５に取り付けるときには、取付け位置の調整用の第２調整ねじ４９と第３調整ねじ５０を一対の直線状長穴４３に差し込み、その第２調整ねじ４９と第３調整ねじ５０を一対のねじ穴３７、４４にそれぞれ螺着する。この場合、第２調整ねじ４９と第３調整ねじ５０を緩めた状態では、手動式駆動ユニット４０が、フォーカス位置調整リング１０に向けた方向に沿って平行移動可能である。一方、第２調整ねじ４９と第３調整ねじ５０を緩めた状態では、手動式駆動ユニット４０がマウント部材５に対して固定される。この場合、第２調整ねじ４９は、第１調整ねじ３８と同じねじ穴３７に螺着される。つまり、本実施の形態では、第１調整ねじ３８と第２調整ねじ４９は、共通のねじ穴３７に螺着される。
【００４０】
なお、この場合、直線状長穴４３は、平行移動の軌跡に沿った直線形状になっている。したがって、手動式駆動ユニット４０を平行移動させても、直線状長穴４３とねじ穴３７、４４の位置が互いにずれることがない。このように、手動式駆動ユニット４０は、マウント部材５に対して平行移動可能に取り付けられている。すなわち、手動式駆動ユニット４０は、フォーカス位置調整リング１０に向けた方向に沿って平行移動させることによって、マウント部材５に対する取付け位置を調整することが可能になっている。
【００４１】
また、この場合には、手動式駆動ユニット４０の取付け位置の調整を行うときに、突部４５がマウント部材５に当接するまで、手動式駆動ユニット４０をフォーカス位置調整リング１０に向けた方向に沿って平行移動させると、ギア部２４と駆動ギア４２との軸間距離を目標の軸間距離（適切な軸間距離）にすることができる。さらに、この場合、ガイドレール４７とガイド溝４８によって、手動式駆動ユニット４０の平行移動がガイドされるので、適切な方向から駆動ギア４２をギア部２４に押し当てることができる。
【００４２】
以上のように構成されたカメラ装置１について、図面を参照してその動作を説明する。
【００４３】
ここでは、まず、フォーカス位置を調整するときの動作を説明する。図７は、本発明の実施の形態のカメラ装置１においてフォーカス位置を調整するときの様子を説明するための図である。例えば、図７（ａ）には、撮像素子６を光軸方向の前側（図７における下側）に移動させた状態が示されている。この状態から駆動ユニット１１の駆動ギア２３を回すと、駆動ギア２３の回転駆動力がフォーカス位置調整リング１０に伝達されて、フォーカス位置調整リング１０がフォーカス位置調整フレーム９に対して回転する。
【００４４】
フォーカス位置調整リング１０が回転すると、ねじ形状のカム部２０によって回転運動が直線運動に変換され、図７（ｂ）に示すように、フォーカス位置調整リング１０が光軸方向の後側（図７における上側）に移動する。この場合、支持フレーム８のバネ取付片１５がフォーカス位置調整リング１０に当接しているので、支持フレーム８はフォーカス位置調整リング１０に押されて（コイルバネ１６の弾性力によってフォーカス位置調整リング１０側に押し付けられた状態で）光軸方向の後側に移動する。このようにして、撮像素子６を支持する支持フレーム８を光軸方向に沿って移動させて、フォーカス位置の調整が行われる。
【００４５】
つぎに、光軸調整を行うときの動作について説明する。上述のようにしてフォーカス位置の調整が完了すると、次に、フォーカス位置調整フレーム９をマウント部材５に対して移動させることにより、撮像素子６の位置を光軸方向と垂直な平面に沿った方向に移動させて、撮像素子６の光軸調整を行う。
【００４６】
図８は、撮像素子６の光軸調整を行う様子を示す説明図である。図８に示すように、撮像素子６の光軸調整を行うときには、光軸調整用の治具２７を用いて、撮像素子６の撮像面側（図８における下側）から十字パターン越しにライトを照射する。光軸調整用の治具２７は、この十字パターンの中心点（十字の交点）がマウント部材５の中心点に位置するように構成されている。そして、光軸調整の作業では、撮像素子６で撮影した画像をモニタで見ながら、この十字パターンの中心点が撮像素子６の中心（画像の中心）にくるように、撮像素子６の位置を調整する。
【００４７】
このようにして撮像素子６の光軸調整を行うと、フォーカス位置調整リング１０の位置が光軸方向に交わる平面に沿って僅かに動くことになる。そこで、本実施の形態では、駆動ユニット１１を、光軸調整によって移動したフォーカス位置調整リング１０の位置にあわせて、マウント部材５に対する取付け位置を調整する。例えば、機械式駆動ユニット３０の場合には、フォーカス位置調整リング１０に向けて回転移動させることによって、マウント部材５に対する取付け位置を調整する。また、手動式駆動ユニット４０の場合には、フォーカス位置調整リング１０に向けて平行移動させることによって、マウント部材５に対する取付け位置を調整する。
【００４８】
このような本発明の実施の形態のカメラ装置１によれば、フォーカス調整用の駆動ユニット１１のタイプが異なる機種であっても部品の共用化が可能になり、カメラ装置１の部品単価を抑えることができ、低コスト化を実現することが可能になる。
【００４９】
すなわち、本実施の形態では、フォーカス位置調整リング１０をフォーカス位置調整フレーム９に対して回転させると、フォーカス位置調整リング１０とともに支持フレーム８が光軸方向に沿った方向に移動して、フォーカス位置の調整を行うことができる。また、フォーカス位置調整フレーム９をマウント部材５に対して移動させると、フォーカス位置調整フレーム９とフォーカス位置調整リング１０とともに支持フレーム８が光軸方向に交わる平面に沿った方向に移動して光軸調整を行うことができる。
【００５０】
この場合、駆動ユニット１１として、手動式駆動ユニット４０と機械式駆動ユニット３０のどちらでもマウント部材５に取り付けることが可能である。したがって、カメラ装置１の機種ごとに駆動ユニット１１のタイプ（手動式／機械式）が異なる場合であっても、共通のフレーム構造で対応することが可能になる。これにより、フォーカス調整用の駆動ユニット１１のタイプが異なる機種であっても部品の共用化が可能になり、カメラ装置１の部品単価を抑えることができ、低コスト化を実現することが可能になる。
【００５１】
また、この場合、手動式駆動ユニット４０と機械式駆動ユニット３０は、マウント部材５に対する取付け位置がそれぞれ異なるが、いずれのタイプの駆動ユニット１１でも、光軸調整によって移動したフォーカス位置調整リング１０の位置にあわせて、マウント部材５に対する取付け位置（ギア部２４と駆動ギア２３との軸間距離）を調整することが可能である。したがって、光軸調整を行った結果、フォーカス位置調整リング１０の位置が光軸方向に交わる平面に沿って僅かに動いたときでも、そのフォーカス位置調整リング１０の動きに追従するように、駆動ユニット１１の取付け位置を適切な位置（適切な軸間距離）に調整することができる。これにより、駆動ユニット１１の回転駆動力をフォーカス位置調整リング１０に適切に伝えることができ、フォーカス位置調整リング１０をスムーズに回転させることが可能になる。
【００５２】
また、本実施の形態では、駆動ユニット１１として機械式駆動ユニット３０が取り付けられた場合に、光軸調整を行った結果、フォーカス位置調整リング１０の位置が僅かに動いたときには、機械式駆動ユニット３０を回転移動させて、光軸調整でのフォーカス位置調整リング１０の動きに合わせて機械式駆動ユニット３０の取付け位置（ギア部２４と駆動ギア３２との軸間距離）を調整することができる。
【００５３】
また、駆動ユニット１１として手動式駆動ユニット４０が取り付けられた場合に、光軸調整を行った結果、フォーカス位置調整リング１０の位置が僅かに動いたときには、手動式駆動ユニット４０を平行移動させて、光軸調整でのフォーカス位置調整リング１０の動きに合わせて手動式駆動ユニット４０の取付け位置（ギア部２４と駆動ギア４２との軸間距離）を調整することができる。
【００５４】
特に、手動式駆動ユニット４０の場合には、駆動ギア４２を手動で回すために、駆動ギア４２の一部が本体ケース２の外部に露出するような構造が採用される（図５参照）。この場合、手動式駆動ユニット４０が（回転移動ではなく）平行移動するように構成されているので、手動式駆動ユニット４０の取付け位置を調整するときに、本体ケース２の外部に露出している部分（駆動ギア４２の一部）も全体的に平行移動する。仮に、手動式駆動ユニット４０が回転移動するように構成されていたとすると、手動式駆動ユニット４０の取付け位置を調整した結果、本体ケース２の外部に露出している部分（駆動ギア４２の一部）が斜めになってしまう。つまり、駆動ギア４２の片側（例えば図５の右側）を軸に回転移動する構造の場合、手動式駆動ユニット４０の取付け位置を調整すると、駆動ギア４２の一方の側（例えば図５の右側）は小さく移動し、駆動ギア４２のもう一方の側（例えば図５の左側）の大きく移動することになる。したがって、駆動ギア４２の一方の側と本体ケース２とのずれ（段差）は小さいのに、駆動ギア４２のもう一方の側と本体ケース２とのずれ（段差）は大きくなってしまい、外観が損なわれる結果となる。これに対して、手動式駆動ユニット４０の取付け位置を調整するときに、本体ケース２の外部に露出している部分（駆動ギア４２の一部）が全体的に平行移動する場合には、本体ケース２の外部に露出している部分（駆動ギア４２の一部）と本体ケース２とのずれ（段差）が均一になり、外観が損なわれるのを防ぐことができる。
【００５５】
また、本実施の形態では、第１調整ねじ３８を緩めて機械式駆動ユニット３０を回転移動させることにより、機械式駆動ユニット３０の取付け位置を調整することができ、また、第２調整ねじ４９と第３調整ねじ５０を緩めて手動式駆動ユニット４０を平行移動させることにより、手動式駆動ユニット４０の取付け位置を調整することができる。
【００５６】
そして、この場合、機械式駆動ユニット３０の取付け位置を調整するための第１調整ねじ３８と、手動式駆動ユニット４０の取付け位置を調整するための第２調整ねじ４９で、共通のねじ穴３７を使用することができる。したがって、カメラ装置１内部の限られたスペースを有効に利用することができ、カメラ装置１の小型化が可能になる。
【００５７】
また、本実施の形態では、手動式駆動ユニット４０の取付け位置を調整するときには、突部４５がマウント部材５に当接するまで、手動式駆動ユニット４０をフォーカス位置調整リング１０に向けた方向に沿って平行移動させればよい。このようにして、手動式駆動ユニット４０の取付け位置（ギア部２４と駆動ギア４２との軸間距離）を適切にかつ簡単に調整することができる。これにより、駆動ギア４２が噛み込みすぎるのを防ぐことができ、手動でもスムーズに駆動ギア４２を回すことができるようになる。（軸間距離の調整が適切に行われていないと、操作の仕方（駆動ギア４２をギア部２４に押し当てる方向）によっては、駆動ギア４２が噛み込みすぎてしまい、駆動ギア４２を回したときの操作感が重くなる。）
【００５８】
また、本実施の形態では、手動式駆動ユニット４０の平行移動がガイドレール４７によってガイドされ、適切な方向から駆動ギア４２をギア部２４に押し当てることができるようになる。これにより、手動でも駆動ギア４２をスムーズに回すことができるようになる。
【００５９】
以上、本発明の実施の形態を例示により説明したが、本発明の範囲はこれらに限定されるものではなく、請求項に記載された範囲内において目的に応じて変更・変形することが可能である。
【産業上の利用可能性】
【００６０】
以上のように、本発明にかかるカメラ装置は、フォーカス調整用の駆動ユニットのタイプが異なる機種であっても部品の共用化が可能になり、カメラ装置の部品単価を抑えることができ、低コスト化を実現することが可能になるという効果を有し、監視カメラや家庭用ビデオカメラ等として用いられ、有用である。
【符号の説明】
【００６１】
１  カメラ装置
５  マウント部材
６  撮像素子
７  撮像素子ユニット
８  支持フレーム
９  フォーカス位置調整フレーム
１０  フォーカス位置調整リング
１１  駆動ユニット
１２  光学フィルタユニット
２０  カム部
２１  本体部
２２  ねじ部
２３  駆動ギア
２４  ギア部
３０  機械式駆動ユニット
３２  駆動ギア
３４  軸部
３５  円弧状長穴
３６  軸穴
３７  ねじ穴
３８  第１調整ねじ
４０  手動式駆動ユニット
４２  駆動ギア
４３  直線状長穴
４４  ねじ穴
４５  突部
４７  ガイドレール
４８  ガイド溝
４９  第２調整ねじ
５０  第３調整ねじ
【図１】
2011015031.tif 000003
【図２】
2011015031.tif 000004
【図３】
2011015031.tif 000005
【図４】
2011015031.tif 000006
【図５】
2011015031.tif 000007
【図６】
2011015031.tif 000008
【図７】
2011015031.tif 000009
【図８】
2011015031.tif 000010